(57)【要約】      （修正有）【課題】安定した状態で、ポールや、ポールと共に用いられるのぼり旗等を使用することを可能とする安定化器具を提供する。【解決手段】安定化器具１は、下側の縁部に沿ってのぼり旗２００を挟み込むように配された柔軟性を有する柔軟性棒状部材２の両端に嵌合する取付部１０と、取付部１０が、該のぼり旗２００が係留されるポール１００を中心として旋回可能、且つ、該ポール１００に沿って移動可能な状態となるように、取付部１０を該ポール１００に装着する装着部とを有している。この取付部１０と装着部とは、例えば、ＡＥＳ樹脂等の弾性の部材により一体成形されており、取付部１０には、柔軟性棒状部材２に嵌合する二つの嵌合部１１ａ，１１ｂが、装着されるポール１００に沿った方向に並んで形成されている。【選択図】図３
0003172504.tif 000002
【実用新案登録請求の範囲】
【請求項１】
ポールに隣接した状態で用いられる対象物を取り巻くように配された柔軟性を有する柔軟性棒状部材の各端部に嵌合可能な嵌合部が、二つ並んで形成されている取付部と、
前記ポールを中心として前記取付部が旋回可能な状態となるように、前記取付部を前記ポールに装着する装着部と、
を備えることを特徴とする安定化器具。
【請求項２】
請求項１に記載の安定化器具において、
前記対象物とは、乳輪により前記ポールに係留されるのぼり旗であり、
前記安定化器具は、前記のぼり旗が係留された前記ポールに装着されると共に、該のぼり旗の最も下方に位置する前記乳輪の上側に該乳輪に隣接して配され、該安定化器具が備える前記取付部に形成されたそれぞれの前記嵌合部には、下側の縁部に沿って該のぼり旗の両面を挟むように配された前記柔軟性棒状部材の各端部が嵌合されること、
を特徴とする安定化器具。
【請求項３】
請求項２に記載の安定化器具において、
前記取付部には、前記のぼり旗と、該のぼり旗が係留される前記ポールとの間に、該のぼり旗の側縁に沿って配置される縦方向棒状部材により挿通される挿通口がさらに形成されていること、
を特徴とする安定化器具。
【請求項４】
請求項１に記載の安定化器具において、
前記ポールは、物干し竿として用いられ、
前記対象物とは、前記ポールに掛けられたハンガー、或いは、前記ポールを支持する支持部材であり、
前記安定化器具は、前記ハンガー或いは前記支持部材に隣接した状態で前記ポールに装着され、
それぞれの前記嵌合部には、前記ハンガー、或いは、前記支持部材を取り巻くように配された前記柔軟性棒状部材の各端部が嵌合されること、
を特徴とする安定化器具。
【考案の詳細な説明】
【技術分野】
【０００１】
本考案は、ポールに係留されたのぼり旗等と共に用いられる安定化器具に関する。
【背景技術】
【０００２】
のぼり旗は野外広告物として多くの業種において古くから用いられているが、こののぼり旗は、通常、その上側の縁部や側縁に乳輪と呼ばれるリング状の吊り紐が縫製されている。そして、ポールやポールの先端から横方向に突出する棒部材を乳輪に挿通することで、のぼり旗がポールに係留される。
【０００３】
ここで、特許文献１には、乳輪に替えて、可撓弾性を有する開かれたリング状の係留保持具を用いて、のぼり旗をポール等に係留させることが記載されている。この係留保持具は、その一端には係合突片が、他端には係合穴がそれぞれ設けられており、係合突片にのぼり旗の縁部付近を貫通させて係合穴に係合させることにより、のぼり旗を係留保持具に係着させる。そして、ポール等を係留保持具に挿通させることにより、ポールにのぼり旗が係留される。
【先行技術文献】
【特許文献】
【０００４】
【特許文献１】特開２００１−２８２１５６号公報
【考案の概要】
【考案が解決しようとする課題】
【０００５】
ところで、上述した乳輪等でポールに係留されたのぼり旗は、強風にあおられると、ポールに巻きついてしまったり、裾部分が持ち上がってしまったり、バタついてしまう等という場合があり、このような場合には、のぼり旗に記載された内容の視認が困難となり、宣伝効果が低減してしまう。
【０００６】
本願考案は上記課題に鑑みてなされたものであり、安定した状態で、ポールや、ポールと共に用いられるのぼり旗等を使用することを可能とする安定化器具を提供することを目的とする。
【課題を解決するための手段】
【０００７】
上記課題に鑑みてなされた請求項１に記載の安定化器具は、ポールに隣接した状態で用いられる対象物を取り巻くように配された柔軟性を有する柔軟性棒状部材の各端部に嵌合可能な嵌合部が、二つ並んで形成されている取付部と、ポールを中心として取付部が旋回可能な状態となるように、取付部をポールに装着する装着部と、を備える。
【０００８】
このような構成によれば、仮に対象物がポールに係留されたのぼり旗である場合には、該のぼり旗の最も下方に設けられた乳輪の上側に隣接するように、安定化器具をポールに装着し、該安定化器具の取付部には、のぼり旗の下側の縁部に沿って乳輪やのぼり旗の両面を挟むように配された柔軟性棒状部材の両端を嵌合させることができる。
【０００９】
これにより、のぼり旗の下側の縁部が柔軟性棒状部材に沿った形状に保持されると共に、のぼり旗の下側の縁部付近を挟む柔軟性棒状部材が、ポールを起点としてポールと直交するように延びた状態、且つ、ポールを中心として旋回可能な状態で保持される。このため、強風にあおられた場合であっても、のぼり旗の裾部分がポールに巻きついてしまうことや、バタついてしまうこと等を防ぐことができる。また、柔軟性棒状部材は、ポールを中心として旋回可能な状態となっているため、のぼり旗を風になびかせることができ、のぼり旗が有する広告物としての特徴を維持しつつ、のぼり旗の形状を安定化させることができる。
【００１０】
また、これ以外にも、ポールが物干し竿として用いられる場合には、衣類が掛けられたハンガーに隣接するように安定化器具をポールに装着すると共に、ハンガーを引っ掛けた状態で配された柔軟性棒状部材を安定化器具に取り付けることで、風等によりハンガーが飛ばされることを防ぐことができる。
【００１１】
また、物干し台に隣接するように安定化器具をポールに装着すると共に、物干し台の一部を引っ掛けた状態で配された柔軟性棒状部材を安定化器具に取り付けることで、ポールが物干し材から落下してしまうことを防ぐことができる。
【００１２】
このように、請求項１に記載の安定化器具によれば、物干し竿等として用いられるポールを安定した状態で使用することが可能となると共に、ポールと共に用いられるハンガーやのぼり旗等を、安定した状態で使用することが可能となる。
【００１３】
また、安定化器具は、次のように構成されていても良い。
すなわち、請求項２に記載されているように、対象物とは、乳輪によりポールに係留されるのぼり旗であり、安定化器具は、のぼり旗が係留されたポールに装着されると共に、該のぼり旗の最も下方に位置する乳輪の上側に該乳輪に隣接して配され、該安定化器具が備える取付部に形成されたそれぞれの嵌合部には、下側の縁部に沿って該のぼり旗の両面を挟むように配された柔軟性棒状部材の各端部が嵌合されていても良い。
【００１４】
このような構成によれば、のぼり旗の裾部分がポールに巻きついてしまうことや、バタついてしまうこと等を防ぐことができると共に、のぼり旗を風になびかせることができる。このため、のぼり旗が有する広告物としての特徴を損なうことなく、のぼり旗の形状を安定化させることができる。
【００１５】
さらに、請求項３に記載されているように、取付部には、のぼり旗と、該のぼり旗が係留されるポールとの間に、該のぼり旗の側縁に沿って配置される縦方向棒状部材により挿通される挿通口がさらに形成されていても良い。
【００１６】
このような構成によれば、のぼり旗が係留されたポールに二つの安定化器具を装着し、一方をポールの先端付近に配置することができる。また、他方の安定化器具については、のぼり旗の下側の縁部を取り巻く柔軟性棒状部材を取り付けると共に、のぼり旗の最も下方に位置する乳輪の上側に配置し、さらに、これら二つの安定化器具の挿通口に１本の縦方向棒状部材を挿通させることが可能となる。
【００１７】
これにより、縦方向棒状部材により挿通された二つの安定化器具の間隔が一定に保持され、柔軟性棒状部材が取り付けられた安定化器具の配置位置を保持することができる。
したがって、強風にあおられた場合であっても、のぼり旗の裾部分が持ち上がってしまうことを防ぐことができ、のぼり旗の形状をより安定化させることができる。
【００１８】
また、安定化器具は、次のように構成されていても良い。
すなわち、請求項４に記載されているように、ポールは、物干し竿として用いられ、対象物とは、ポールに掛けられたハンガー、或いは、ポールを支持する支持部材であり、安定化器具は、ハンガー或いは支持部材に隣接した状態でポールに装着され、それぞれの嵌合部には、ハンガー、或いは、支持部材を取り巻くように配された柔軟性棒状部材の各端部が嵌合されても良い。
【００１９】
こうすることにより、物干し竿として用いられているポールに掛けられたハンガーが風等により飛ばされることや、物干し台等に設けられた支持部材により支持されている該ポールが、物干し台等から落下してしまうことを防ぐことができる。
【図面の簡単な説明】
【００２０】
【図１】安定化器具の斜視図，三面図，断面図である。
【図２】安定化器具をポールに装着する際の説明図である。
【図３】安定化器具の使用形態についての説明図である。
【図４】安定化器具の使用形態についての説明図である。
【図５】安定化器具の使用形態についての説明図である。
【考案を実施するための形態】
【００２１】
以下、本考案の実施形態について図面を用いて説明する。なお、本考案の実施の形態は、下記の実施形態に何ら限定されることはなく、本考案の技術的範囲に属する限り種々の形態を採りうる。
【００２２】
［構成の説明］
まず、本実施形態の安定化器具の構成について説明する。図１の（ａ），（ｂ）には、安定化器具１の斜視図が記載されている。また、図１の（ｃ）〜（ｅ）には安定化器具１の三面図が記載されており、図１の（ｃ）が正面図、図１の（ｄ）が平面図、図１の（ｅ）が側面図となっている。また、図１の（ｆ）〜（ｉ）には、それぞれ、安定化器具１のＡ−Ａ´断面図，Ｂ−Ｂ´断面図，Ｃ−Ｃ´断面図，Ｄ−Ｄ´断面図が記載されている。
【００２３】
安定化器具１は、ポールに係留されたのぼり旗等を取り巻くように配された、柔軟性を有する柔軟性棒状部材が取り付けられる取付部１０と、取付部１０が、ポールを中心として旋回可能、且つ、該ポールに沿って移動可能な状態となるように、取付部１０を該ポールに装着する装着部２０とを有している。そして、取付部１０と装着部２０とは、例えば、ＡＥＳ（Acrylonitrile Butadiene Styrene）樹脂等の弾性の材料により一体成形されている。
【００２４】
装着部２０は、一定の高さに形成され、その一部が開かれている環状の部材であり、この開かれた部位である開部２１は、拡縮可能となっている。また、高さ方向に直交する一方の側縁（つまり、外周面或いは内周面の一方の側縁）における開部２１に対面する位置には、開部２１する対応する形状を有する壁状の対面部２２が突出するように形成されている。この対面部２２は、開部２１と同じ幅を有する共に、装着部２０の高さと同じ高さを有しており、装着部２０の側端に沿って形成されている。また、対面部２２が形成された側の側縁には、高さ方向に突出する円柱状の凸部２３ａと、凸部２３ａが嵌合可能な孔状の凹部２３ｂとが、装着部２０における内径を挟んで対面するように形成されている。そして、これらは、その対面方向が、対面部２２と開部２１との対面方向に直交するように配置されている。
【００２５】
また、取付部１０は、対面部２２における外周面側から、装着されるポールの反対側に突出しており、その長軸が該ポールに沿った方向となる略楕円柱状の部材として形成されている。
【００２６】
そして、取付部１０には、長軸に沿って並ぶ二つの嵌合部１１ａ，１１ｂが形成されていると共に、取付部１０の付け根部分には、長軸に沿って取付部１０を貫通する円形の挿通口１２が形成されている。
【００２７】
ここで、取付部１０の側面における、長軸に沿って対面する二つの領域を、長軸対面部とする。嵌合部１１ａ，１１ｂは、長軸対面部を切り欠くことで外部に連通された、長軸に沿って並ぶ二つの円形の孔部として構成されており、さらに、これらの孔部は、底部付近で連通されている。
【００２８】
そして、この底部付近における連通部分は、直方体形状の空間をなしており、連通部分の内壁には、長軸方向に延びると共に、短軸方向に対面する２本のリブが形成されている。
【００２９】
また、嵌合部１１ａ，１１ｂにおける連通部分をなさない入口部分の内壁は、一部が開かれた環状に形成されており、この開かれた部分は、長軸対面部を切り欠くことで形成され、その幅が入口部分の内径よりも狭くなっていると共に、拡縮可能に構成されている。
【００３０】
また、嵌合部１１ａ，１１ｂは、装着部２０における対面部２２が形成された側縁を含む基準面を基準として対称となる位置に配置されている。
なお、二つの安定化器具１の装着部２０を、お互いの取付部１０を対面させた状態で、対面部２２が形成された側縁を接するように上下の向きを反対にして重ね合わせることにより、対面部２２及び開部２１と、凹部２３ｂ及び凸部２３ａとを嵌合させることができる。
【００３１】
［安定化器具の装着について］
次に、安定化器具１をのぼり旗等が係留されるポールに装着する際の様子について、図２の（ａ）に記載の説明図を用いて説明する。
【００３２】
安定化器具１は、その直径が、環状部材として形成された装着部２０の内径よりも短く、且つ、装着部２０における開部２１の間隔よりも長い円柱状のポール１００に装着することができる。具体的には、図２（ａ−１）に記載されているように、装着部２０の両端をポール１００に当接させた状態で安定化器具１をポール１００に向けて押圧すると、装着部２０が開部２１の間隔が広がるように弾性変化し（図２（ａ−２）参照）、ポール１００に遊嵌される。そして、装着部２０がポールに遊嵌されると、図２（ａ−３）に記載されているように、安定化器具１は、ポール１００を中心として旋回可能、且つ、ポール１００に沿って移動可能な状態で保持される。
【００３３】
また、嵌合部１１ａ，１１ｂを、それぞれ同じ高さに配置した状態で、二つの安定化器具１を一組としてポールに装着することもできる。すなわち、二つの安定化器具１を、その対面部２２が形成された側縁が接するように、上下方向の向きを反対にして一つのポール１００に装着させ、対面部２２及び開部２１と、該側縁に形成された凹部２３ｂ及び凸部２３ａとを嵌合させるのである。こうすることにより、嵌合部１１ａ，１１ｂをそれぞれ同じ高さに配置した状態で、二つの安定化器具１をポールに装着することができる（図２（ｂ）参照）。
【００３４】
［柔軟性棒状部材について］
次に、安定化器具１に取り付けられる上述の柔軟性棒状部材について説明する。
この柔軟性棒状部材２は、ポリ塩化ビニール（ＰＶＣ：Polyviniyl chloride）等の樹脂により円柱状に形成され、柔軟性を有しており、自由に曲げることが可能となっている。
【００３５】
図３（ａ）に記載されているように、柔軟性棒状部材２の両端には、ポリ塩化ビニール等の樹脂により形成された円筒状のキャップ部材２ａが取り付けられる。そして、柔軟性棒状部材２の端部は、キャップ部材２ａが取り付けられた状態で、安定化器具１の取付部１０の側方から嵌合部１１ａ，１１ｂに当接され、嵌合部１１ａ，１１ｂに向けて押圧されることで、嵌合部１１ａ，１１ｂに嵌合される。
【００３６】
［使用形態の説明］
次に、安定化器具１の使用形態について説明する。
図３の（ｃ），（ｄ）には、のぼり旗２００が係留されたポール１００に、安定化器具１と柔軟性棒状部材２を取り付ける際の様子（使用形態１）を示す説明図が記載されている。
【００３７】
使用形態１では、のぼり旗２００の側縁の最も下方に設けられた乳輪２１０の上側に隣接した状態で、安定化器具１がポール１００に装着される。そして、両端にキャップ部材２ａが取り付けられた柔軟性棒状部材２の一端を取付部１０の嵌合部１１ｂに嵌合させ、柔軟性棒状部材２を中央で折り曲げると共に、柔軟性棒状部材２がのぼり旗２００の下側の縁部に沿ってその両面を挟んだ状態とし、柔軟性棒状部材２の他端を取付部１０の嵌合部１１ａに嵌合させる。
【００３８】
また、使用形態２では、ポール１００の上端に、ポール１００と直交する方向に延びる支持棒１５０が設けられ、のぼり旗２００は、側縁に設けられた乳輪２１０〜２３０と、上側の縁部に設けられた乳輪２４０，２５０により、ポール１００や支持棒１５０に係留される（図４（ａ）参照）。
【００３９】
そして、使用形態１と同様にしてポール１００に安定化器具１が装着されると共に、さらに、のぼり旗２００の側縁における上端付近に設けられた乳輪２３０の上側に安定化器具１が装着される。また、１本の縦方向棒状部材３が、のぼり旗２００の乳輪２１０〜２３０と、これらの安定化器具１の挿通口１２を挿通した状態で配される。
【００４０】
さらに、使用形態３では、ポール１００の上端には、左右方向に延びる支持棒１６０が設けられると共に、使用形態２と同様の２つののぼり旗２００がポール１００に係留され、各のぼり旗２００はポール１００の両側に配される（図４（ｂ）参照）。
【００４１】
また、使用形態３では、二つの安定化器具１が、対面部２２と開部２１とが嵌合した状態でポール１００に装着され、各安定化器具１の嵌合部１１ａ，１１ｂが同じ高さに位置する状態で、１組の安定化器具１として用いられる。
【００４２】
具体的には、使用形態２と同様の各装着位置に、それぞれ、一組の安定化器具１が装着され、各組をなす各安定化器具１は、使用形態２と同様にして両側に配された各のぼり旗２００に対応して用いられる。また、各組の安定化器具１は、使用形態２と同様の縦方向棒状部材３により挿通された状態で配される。
【００４３】
また、これ以外にも、安定化器具１は、物干し竿として用いられるポールに対して用いることもできる。
すなわち、使用態様４では、ポール１００は物干し竿として用いられ、該ポール１００は、物干し台３００の支持部材３１０により支持される（図５（ａ）参照）。また、安定化器具１には、支持部材３１０との当接部付近でポール１００に装着されると共に、支持部材３１０を引っ掛けるように（取り巻くように）配された柔軟性棒状部材２の両端が取り付けられる。これにより、ポール１００は、安定化器具１及び柔軟性棒状部材２により支持部材３１０に掛着された状態となり、物干し台３００からの落下が阻止される。
【００４４】
また、使用態様５では、ポール１００には、洗濯物を吊るすハンガー３２０が掛けられており、安定化器具１は、ハンガー３２０に隣接してポール１００に装着される。そして、安定化器具１には、ハンガー３２０を引っ掛けるように（取り巻くように）配された柔軟性棒状部材２の両端が取り付けられる。これにより、ハンガー３２０は、安定化器具１及び柔軟性棒状部材２によりポール１００に掛着された状態となり、ポール１００からの落下が阻止される。
【００４５】
［効果］
本実施形態の安定化器具１によれば、のぼり旗が係留されたポールに装着すると共に、のぼり旗の最も下方に設けられた乳輪の上側に配し、取付部１０に、下側の縁部に沿って該のぼり旗の両面を挟むように配された柔軟性棒状部材２の両端を嵌合させることができる。
【００４６】
これにより、のぼり旗の下側の縁部が柔軟性棒状部材２に沿った形状に保持されると共に、のぼり旗の下側の縁部付近を挟む柔軟性棒状部材２が、ポールを起点としてポールと直交するように延びた状態、且つ、ポールを中心として旋回可能な状態で保持される。このため、強風にあおられた場合であっても、のぼり旗の裾部分がポールに巻きついてしまうことや、バタついてしまうこと等を防ぐことができる。また、柔軟性棒状部材２は、ポールを中心として旋回可能な状態となっているため、のぼり旗を風になびかせることができ、のぼり旗が有する広告物としての特徴を維持しつつ、のぼり旗の形状を安定化させることができる。
【００４７】
また、これ以外にも、ポールが物干し竿として用いられる場合には、衣類が掛けられたハンガーに隣接して該ポールに安定化器具１を装着すると共に、ハンガーを引っ掛けた状態で配された柔軟性棒状部材２を安定化器具１に取り付けることで、風等によりハンガーが飛ばされることを防ぐことができる。
【００４８】
また、物干し台に隣接してポールに安定化器具１を装着すると共に、物干し台を引っ掛けた状態で配された柔軟性棒状部材２を安定化器具１に取り付けることで、ポールが物干し台から落下してしまうことを防ぐことができる。
【００４９】
このように、本実施形態の安定化器具１によれば、物干し竿等として用いられるポールを安定した状態で使用することが可能となると共に、ポールと共に用いられるハンガーやのぼり旗等を、安定した状態で使用することが可能となる。
【００５０】
［他の実施形態］
（１）本実施形態では、安定化器具１が装着するポール１００は円柱状に形成されている。しかしながら、ポール１００の形状は円柱状に限定されるものではなく、例えば、角柱状に形成されていても良い。
【００５１】
（２）また、本実施形態では、安定化器具１の取付部１０に設けられた嵌合部１１ａ，１１ｂは、安定化器具１が装着されるポールに沿って並ぶように配されているが、嵌合部１１ａ，１１ｂの並びはこれに限定されることは無い。具体的には、例えば、該ポールに直交する方向に沿って並んでいても良く、このような場合であっても、同様の効果を得ることができる。
【００５２】
（３）本実施形態では、安定化器具１の装着部２０は一定の高さに形成されているが、装着部２０の高さは、必ずしも一定である必要は無い。装着部２０がポール１００に装着した際、対面部２２が形成される側の側縁がポール１００に直交した状態となれば同様の効果を得ることができ、装着部２０は、この状態を形成するようにポール１００に装着すれば良い。このため、対面部２２が形成されていない側の側縁はどのような形状であっても良く、例えば、波線状に形成されていても良いし、凹凸を有していても良い。
【００５３】
（４）本実施形態では、装着部２０における対面部２２が形成された側の側縁には、高さ方向に突出する円柱状の凸部２３ａと、凸部２３ａが嵌合可能な孔状の凹部２３ｂとが、装着部２０における内径を挟んで対面するように形成されている。そして、これらは、その対面方向が、対面部２２と開部２１との対面方向に直交するように配置されている。しかし、凹部２３ｂ及び凸部２３ａは、内径を挟んで対面する位置に形成されていれば良く、必ずしもその対面方向が対面部２２と開部２１との対面方向に直交するよう配置されている必要は無い。具体的には、例えば、凹部２３ｂ及び凸部２３ａは、それぞれ、対面部２２と開部２１に隣接する位置に形成されていても良い。
【００５４】
また、本実施形態では、上記側縁には一組の凹部２３ｂ及び凸部２３ａが形成されているが、複数組の凹部及び凸部が内径を挟んで対面する位置に形成されていても良い。
また、例えば、一方の安定化器具１における上記側縁の所定位置に凹部のみを設け、他方の安定化器具１における上記所定位置と同じ位置に凸部のみを設けても良い。このようにして凹部や凸部を設けた場合であっても、これら二つの安定化器具１を、その対面部２２が形成された側縁が接するように上下方向の向きを反対にして一つのポールに装着させた際に、凹部と凸部とを嵌合させることができる。
【００５５】
また、本実施形態では、凸部２３ａは円柱状に形成されているが、凸部２３ａの形状はこれに限定されるものではなく、例えば、角柱状に形成されていても良い。また、凹部２３ｂに関しても、本実施形態では孔状に形成されているが、凹部２３ｂの形状はこれに限定されるものではない。凹部２３ｂの形状は、二つの安定化器具１を凹部２３ｂ及び凸部２３ａとさせた状態でポールに装着した際、少なくとも、これらの安定化器具１が自身の取付部１０の突出方向にずれないよう固定可能となる形状であれば良く、例えば、切欠き状に形成されていても良い。
【符号の説明】
【００５６】
１…安定化器具、２…柔軟性棒状部材、３…縦方向棒状部材、１０…取付部、１１ａ…嵌合部、１１ｂ…嵌合部、１２…挿通口、２０…装着部、２１…開部、２２…対面部、２３ａ…凸部、２３ｂ…凹部、１００…ポール、１５０…支持棒、２００…のぼり旗、３００…物干し台、３１０…支持部材、３２０…ハンガー。
【図１】
0003172504.tif 000003
【図２】
0003172504.tif 000004
【図３】
0003172504.tif 000005
【図４】
0003172504.tif 000006
【図５】
0003172504.tif 000007